(57)【要約】【課題】主に縁石や路面の上に埋設されることなく設置される縁石鋲において、交換作業の容易化と迅速化を図るために、着脱交換ができる縁石鋲を提供する。【解決手段】ライト反射機能や発光機能などを有する縁石鋲本体１と、設置面４に取付けられた状態で縁石鋲本体１が着脱可能に連結される台座２を具備し、縁石鋲本体１と台座２の接合部に、弾性爪部１１と、これに嵌合する爪受け部１２からなる連結機構を設けて固定し、弾性爪部１１を変形させて連結の固定を解除するための押棒５を挿入する貫通孔１３を備えた構造とする。また、貫通孔１３を覆い隠すための保護シール部材３を備え貼り付ける。【選択図】図２
0003170735.tif 000002
【実用新案登録請求の範囲】
【請求項１】
縁石や路面に埋設されることなく設置される縁石鋲において、少なくともライト反射機能または自動発光機能を有する縁石鋲本体と、設置された状態で前記縁石鋲本体が着脱可能に連結される台座とを具備してなることを特徴とする縁石鋲。
【請求項２】
前記縁石鋲本体と前記台座の接合部に、弾性爪部と、前記弾性爪部に嵌合する爪受け部からなる連結機構を備えていることを特徴とする請求項１に記載の縁石鋲。
【請求項３】
前記台座が設置面に取付けられた状態において、前記縁石鋲本体を前記台座から分離可能にするように、前記弾性爪部を弾性変形させ連結を解除するための押棒を挿入する貫通孔を備えていることを特徴とする請求項２に記載の縁石鋲。
【請求項４】
前記貫通孔を覆い隠すための保護シール部材を備えていることを特徴とする請求項３に記載の縁石鋲。
【考案の詳細な説明】
【技術分野】
【０００１】  本考案は、道路に設置される鋲において、主に縁石や路面の上に埋設されることなく設置される縁石鋲に関するものである。
【背景技術】
【０００２】  自動車の運転手や歩行者の注意を促し安全を高めるために、道路を掘り下げて埋設されることなく簡易に設置される縁石鋲がある。これは、主に道路上の指標ラインや車道と歩道の境界に設けられた縁石に設置され、通行帯と縁石の視認性を向上し交通事故防止に有効である。縁石鋲にはリフレクターなどの反射板が用いられヘッドライト光を反射させる簡易型が広く普及しているが、最近では事故率の高い薄暮時の安全性をより高めるために、自から光を発する自発光式縁石鋲が採用され始めている。【０００３】  自発光式縁石鋲は自ら発光するために電源を必要とし、太陽光の届かないトンネル内部などを除いて、個々に太陽電池パネルと蓄電池を備へ日中に充電した電力を用いて夜間に発光ダイオードを点灯する方式が主流である。これは、商業用電力とは無関係に動作する自立型であり、例えば、災害時においては故障を免れた単体は個別に動作し、停電時の街灯の消えた道路においても発光を継続し、交通事故の防止だけでなく暗闇からの不安を解消する効果も得られる。【０００４】  道路に埋設されることなく縁石や路面の上に設置される縁石鋲は、穴あけ工事を伴うアンカーボルトによる固定方法もあるが、強力な接着剤などを用いて設置面に直接張付けて固定する方法が簡易に取付けできるために多く用いられている。ここで、鮮やかに光を発する自発光式縁石鋲は盗難の対象にもなり、例えば特許文献１に示されるように保護部材を設けて引き剥がしを防止し頑強に固定する方法も提案されている。
【先行技術文献】
【０００５】
【特許文献１】特開２００８−２０８５７８号公報
【考案の開示】
【考案が解決しようとする課題】
【０００６】  しかしながら、屋外において設置面より上に設置される縁石鋲は、紫外線や寒暖差、さらに、踏付けなどにより経年と共に劣化し、ひび割れや内部結露を生じて修復が必要となる。特に、自発光式縁石鋲は内部に電子部品や蓄電池を備えているために耐用年数に限りがあり、その前に発光機能が低下し故障する場合もある。縁石鋲は複数個が列状に整然と設置されることにより、軌道ラインとしての認識性を向上させる効果が得られるが、その内の１個でも故障すると逆効果となり事故を誘発する危険性もあり、故障した縁石鋲は迅速な修復が求められる。【０００７】  ところが、修復のために故障した縁石鋲を新しい縁石鋲に交換する場合、従来の縁石鋲は交換作業の効率化に考慮されておらず、交換するためには故障した縁石鋲を撤去し、再び新しい縁石鋲を設置する作業を必要とする。これには設置されていた方法により、アンカーボルトで取付けられていた場合には電動工具を用いてアンカーボルトを外して撤去して交換し、強力な接着剤で取付けられていた場合には溶剤で接着剤を溶かして引き剥がすなどして撤去して交換する作業を要する。さらに、特許文献１の方法により頑強に設置されていた場合にはより複雑な交換作業を必要とする。このように、従来の縁石鋲の交換作業は容易には施工できず、施工中は交通往来の妨げともなるため簡素化が望まれる。
そこで、本考案は交換作業の容易化と迅速化を図るために、設置面から引き剥がすことなく縁石鋲本体の着脱交換ができる縁石鋲を提供することを課題とする。
【課題を解決するための手段】
【０００８】  課題を達成するために、本考案の縁石鋲は反射パネルによるライト反射機能や電気による発光機能などを有する縁石鋲本体と、設置面に固定される台座を具備し、前記台座を設置面から剥離することなしに前記縁石鋲本体を前記台座より分離可能な構成にしていることを特徴とするものである。【０００９】  また本考案の縁石鋲は、前記縁石鋲本体と前記台座が連結して固定されるように、前記縁石鋲本体と前記台座が接合する部分に、弾性爪部と、前記弾性爪部に嵌合する爪受け部からなる連結機構を備えていることが好ましい。【００１０】  また前記台座が設置面に取付けられた状態において、前記縁石鋲本体を前記台座から分離可能にするように、前記弾性爪部を弾性変形させ連結を解除するための押棒を挿入する貫通孔を備えていることが好ましい。【００１１】  また前記貫通孔は埃の侵入を防ぎ目隠し効果による盗難を防止するために、前記貫通孔の上に保護シール部材を貼り付けて覆い隠すことが好ましい。
【考案の効果】
【００１２】  本考案の縁石鋲は、縁石鋲本体と台座より構成され、設置面に強力な接着剤などで取付けられている台座を剥離することなく、縁石鋲本体を台座より分離して容易な交換を可能にするものである。これにより、縁石鋲本体が故障した際の迅速な交換作業を実現し、交通安全に寄与する縁石鋲の幅広い普及に貢献する。
【図面の簡単な説明】
【００１３】
【図１】本考案の実施形態になる縁石鋲の一例を示す上面から見た外観図である。
【図２】図１のＡ−Ａにおける連結した状態の断面図である。
【図３】図２の縁石鋲本体を台座から分離し持上げた状態の断面図である。
【図４】（ａ）は連結が固定された状態の連結機構の断面図、（ｂ）は保護シール部材を剥がした状態の断面図、（ｃ）は押棒を挿入し弾性爪部が外れる状態にした断面図である。
【図５】図１のＢ−Ｂにおける連結した状態の断面図である。
【図６】図５の縁石鋲本体を台座から分離し持上げた状態の断面図である。
【図７】図１の左方向から見た側面の使用状態の外観図である。
【図８】図７の保護シール部材を剥がした状態の外観図である。
【図９】図８の縁石鋲本体を台座から分離し持上げた状態の外観図である。
【図１０】台座の上面から見た外観図である。
【考案を実施するための最良の形態】
【００１４】  以下、図面を参照して本考案の実施の一形態について説明する。図１は上面からみた外観図、図２は図１のＡ−Ａにおける断面図、図３は図２の縁石鋲本体１を台座２から分離し持上げた状態の断面図である。縁石鋲本体１は自動車の運転手や歩行者の注意を促すために、ライト反射機能や発光機能などを備えている。実施例では、縁石鋲本体１に発光ダイオード２１、反射パネル２２、太陽電池パネル２３を備え、内部に蓄電池２４、及び制御回路基板２５を備えている。これらにより、反射パネル２２により自動車のライトを反射する機能と共に、昼間に太陽電池パネル２３により得られる電気を蓄電池２４に蓄え、夜間はこの電気を制御回路基板２５により発光ダイオード２１を自動的に点滅させる発光機能を備えている。【００１５】  本考案の縁石鋲は、縁石鋲本体１と台座２を具備し、縁石鋲本体１を設置面４に取付けられた台座２と分離し、縁石鋲本体１の着脱交換を可能にすることを特徴としている。着脱交換を可能にするために、実施例では図１における中央部Ａ−Ａの位置に縁石鋲本体１と台座２を連結し固定するための弾性爪部１１と爪受け部１２からなる連結機構を設ける。図２の連結した状態の断面図において、台座２は設置面４に強力な接着剤やアンカーボルトにより取付けられ、縁石鋲本体１と台座２は弾性爪部１１と爪受け部１２の嵌合により連結が固定され、縁石鋲本体１は台座２と共に設置面４より上方向へ持上げられない状態になる。また、連結機構の固定を解除することにより、台座２を設置面４から引き剥がすことなしに縁石鋲本体１は台座２から分離し、図３の断面図に示すように縁石鋲本体１は持上げられる。【００１６】  図４の連結機構の断面図を用いて、連結固定の解除方法を順に説明する。始めに、図４（ａ）に示される連結が固定された状態の連結機構の断面図において、縁石鋲本体１と台座２は弾性爪部１１と爪受け部１２の嵌合により連結し固定されている。また、貫通孔１３は埃の侵入を防ぎ目隠し効果により盗難を防止するために、上部に保護シール部材３を貼り付けて覆われている。ここで、保護シール部材３は設置日などの刻印された厚みのあるアルミプレートなどを用いても良く、強く接着して剥がれ難くすることで盗難の防止効果が高められる。次に、図４（ｂ）の保護シール部材３を剥がした状態では、貫通孔１３が確認される。ここで、保護シール部材３の厚みに合せて保護シール部材取付け用凹部１４を形成し、保護シール部材３の端部の引っ掛かりを無くして剥がれ難くすると良い。そして、図４（ｃ）に示されるように、押棒５を貫通孔１３に挿入し弾性爪部１１を強く押すことで、弾性の有る素材で形成された弾性爪部１１の脚部が変形し嵌合が爪受け部１２から外れて連結の固定が解除され、縁石鋲本体１は台座２から分離可能な状態となる。【００１７】  縁石鋲本体１を設置面４に予め取付けられた台座２に連結する場合は、上部より縁石鋲本体１を台座２の位置に合せて強く押し付けることで、弾性爪部１１は爪受け部１２に沿って弾性変形しながら下がり、最下部にて変形が復元されて縁石鋲本体１は台座２に連結し固定される。弾性爪部１１と爪受け部１２により構成される連結機構は、踏んだり蹴ったりされても���石鋲本体１が台座２から離脱しないように十分な強度を持たせる。そのために、実施例では幅広く形成した弾性爪部１１と爪受け部１２による連結機構を２箇所に設けているが、必要に応じて連結機構の数を増やしても良い。【００１８】  図１におけるロック機構のない位置Ｂ−Ｂにおいて、縁石鋲本体１を設置面４に取付けられた台座２に連結し固定した状態の断面図を図５、縁石鋲本体１を設置面４に取付けられた台座２から分離し持上げた状態の断面図を図６に示す。縁石鋲本体１の底部外周には接合支持凸部１５を形成し、台座２には接合支持凸部１５に嵌合する接合支持凹部１６を形成する。これにより、縁石鋲本体１は台座２に連結した状態では前後左右、及び、下方向に動くことなく把持され、さらに上述した連結機構により上方向に動くことなく把持されることで、縁石鋲本体１は台座２に静的に固定される。また、接合支持凸部１５と接合支持凹部１６は、縁石鋲本体１を台座２から着脱する際に正確な連結位置に誘導する機能も有する。【００１９】  次に、図１の左方向から見た側面の外観図を用いて、縁石鋲本体１を設置面４に取付けられた状態の台座２から分離して交換する手順を説明する。始めに、縁石鋲本体１の取外しは、図７に示される使用状態においては貫通孔１３の上には保護シール部材３が貼り付けられており見えない状態になっている。保護シール部材３を剥がすと図８に示されるように貫通孔１３が確認される。これに押棒５を挿入して押し付けることで連結機構の固定が解除され、図９に示されるように縁石鋲本体１は上方向に持上げられて取外される。次に、縁石鋲本体１の取付は、図９において交換する縁石鋲本体１を台座２に押し付けると、上述した連結機構により図８に示される連結が固定された状態となる。これに保護シール部材取付け用凹部１４に沿って保護シール部材３を貼り付けると図７に示される使用状態となり交換作業は終了する。これにより、設置面４より引き剥がす必要がなく交換作業の容易化と迅速化が図れる。実施例では保護シール部材３は縁石鋲本体１と台座２の双方に跨る形で貼り付けられて連結強度を増すようにしているが、貫通孔１３を覆い隠すように縁石鋲本体１のみに貼り付けるようにしても良い。この場合、保護シール部材３は予め縁石鋲本体１に貼り付けて置くことができ、取付けの際は交換する縁石鋲本体１を台座２に押し付けるだけで連結固定されて作業は終了する。【００２０】  台座２の上面から見た外観図を図１０に示す。台座２の接合支持凹部１６は、縁石鋲本体１の接合支持凸部１５に嵌合するように枠状に形成される。台座２の底部は設置面４に強力な接着剤を用いて取付けられるように平らに形成され、また、アンカーボルトを用いても取付けられるように、ボルト取付け用穴１７を設ける。【００２１】  なお、上述した実施の形態は、あくまでも本考案の一態様を示すものであり、本考案の範囲内で任意に変形および応用が可能である。例えば、本実施形態では、弾性爪部１１は縁石鋲本体１に形成され爪受け部１２は台座２に形成されているが、これを逆にして、弾性爪部１１を台座２に形成し爪受け部１２を縁石鋲本体１に形成するなどしても良い。
【符号の説明】
【００２２】１  縁石鋲本体
２  台座
３  保護シール部材
４  設置面
５  押棒
１１  弾性爪部
１２  爪受け部
１３  貫通孔
１４  保護シール部材取付け用凹部
１５  接合支持凸部
１６  接合支持凹部
１７  ボルト取付け用穴
２１  発光ダイオード
２２  反射パネル
２３  太陽電池パネル
２４  蓄電池
２５  制御回路基板
【図１】
0003170735.tif 000003
【図２】
0003170735.tif 000004
【図３】
0003170735.tif 000005
【図４】
0003170735.tif 000006
【図５】
0003170735.tif 000007
【図６】
0003170735.tif 000008
【図７】
0003170735.tif 000009
【図８】
0003170735.tif 000010
【図９】
0003170735.tif 000011
【図１０】
0003170735.tif 000012